(57)【要約】【課題】  商品性を高め得る計器装置を提供する。【解決手段】  情報表示体１０と、情報表示体１０の可視領域を定めるように情報表示体１０の視認者側に配置される覆い部材４０とを備え、覆い部材４０は、その母材となる基板４４と、基板４４に形成された意匠部Ｄと、を少なくとも有するパネル体である。また、覆い部材４０は、情報表示体１０の周縁部を覆う内側環状部４１と、内側環状部４１の外側を取り囲む傾斜環状部４２とを備え、傾斜環状部４２は、内側環状部４１から離れるに従って視認者側に傾斜して延出し、意匠部Ｄが傾斜環状部４２に設けられている。【選択図】図２
2019078708.tif 000002
【特許請求の範囲】
【請求項１】
情報表示体と、
前記情報表示体の可視領域を定めるように前記情報表示体の視認者側に配置される覆い部材とを備え、
前記覆い部材は、その母材となる基板と、前記基板に形成された意匠部もしくは光源からの光を受けて照明される被照明部とを有するパネル体であることを特徴とする計器装置。
【請求項２】
情報表示体と、
前記情報表示体の可視領域を定めるように前記情報表示体の視認者側に配置される覆い部材とを備え、
前記覆い部材は、その母材となる基板と、前記基板に形成された意匠部もしくは前記基板に形成された地色部とを有するパネル体であり、
前記基板には所定の間隔を有して複数個の貫通部が開口形成されるとともに前記複数個の貫通部に対応して複数個の透光部が設けられていることを特徴とする計器装置。
【請求項３】
前記覆い部材は、前記情報表示体の周縁部を覆う第１の覆い部と、前記第１の覆い部の外側を取り囲む第２の覆い部とを備え、
前記第２の覆い部は、前記第１の覆い部から離れるに従って前記視認者側に傾斜して延出し、
前記意匠部または前記貫通部が前記第２の覆い部に設けられていることを特徴とする請求項１または請求項２記載の計器装置。
【請求項４】
前記透光部に照明光を供給するように回路基板に配設された光源を備えていることを特徴とする請求項２記載の計器装置。
【発明の詳細な説明】
【技術分野】
【０００１】
本発明は、例えば自動車や自動２輪車等の車両に搭載される計器装置に関するものである。
【背景技術】
【０００２】
従来より、この種の計器装置にあっては、例えば下記特許文献１に記載されているものが知られている。この特許文献１に記載の計器装置は、車速情報等の車両情報を表示する液晶表示パネル（情報表示体）と、この液晶表示パネルの可視領域を定めるように液晶表示パネルの前方側（視認者側）に配置される覆い部材（見返し部材）と、液晶表示パネルの背後側（視認者側とは反対側となる反視認者側）に配置される回路基板と、液晶表示パネルを背後側から保持するように回路基板上に載置される樹脂ケースとを備え、覆い部材は、黒色の合成樹脂材料によって射出成形された射出成形体となっている。
【先行技術文献】
【特許文献】
【０００３】
【特許文献１】特開２０１４−１１９５７９号公報
【発明の概要】
【発明が解決しようとする課題】
【０００４】
上述の特許文献１に記載の計器装置の場合、射出成形体である覆い部材は、視認者側から本来、視認されるべきではない部材（例えば回路基板や樹脂ケース）を覆い隠す隠蔽部材として設けられるものである。ところで、覆い部材が射出成形体によって得られた場合、覆い部材は単に隠蔽部材として機能するだけであることから、覆い部材に隠蔽部材以外の機能を持たせて、商品性を高め得る製品（計器装置）を提供することが望まれている。
そこで本発明は、前述の課題に対して対処するため、商品性を高め得る計器装置の提供を目的とするものである。
【課題を解決するための手段】
【０００５】
本発明は、情報表示体と、前記情報表示体の可視領域を定めるように前記情報表示体の視認者側に配置される覆い部材とを備え、前記覆い部材は、その母材となる基板と、前記基板に形成された意匠部もしくは光源からの光を受けて照明される被照明部とを有するパネル体であることを特徴とする。
【０００６】
また本発明は、情報表示体と、前記情報表示体の可視領域を定めるように前記情報表示体の視認者側に配置される覆い部材とを備え、前記覆い部材は、その母材となる基板と、前記基板に形成された意匠部もしくは前記基板に形成された地色部とを有するパネル体であり、前記基板には所定の間隔を有して複数個の貫通部が開口形成されるとともに前記複数個の貫通部に対応して複数個の透光部が設けられていることを特徴とする。
【０００７】
また本発明は、前記覆い部材は、前記情報表示体の周縁部を覆う第１の覆い部と、前記第１の覆い部の外側を取り囲む第２の覆い部とを備え、前記第２の覆い部は、前記第１の覆い部から離れるに従って前記視認者側に傾斜して延出し、前記意匠部または前記貫通部が前記第２の覆い部に設けられていることを特徴とする。
【０００８】
また本発明は、前記透光部に照明光を供給するように回路基板に配設された光源を備えていることを特徴とする。
【発明の効果】
【０００９】
本発明によれば、所期の目的を達成でき、商品性を高め得る計器装置を提供できる。
【図面の簡単な説明】
【００１０】
【図１】本発明の第１実施形態による計器装置の正面図。
【図２】図１のＡ−Ａ断面図。
【図３】本発明の第２実施形態による計器装置の正面図。
【図４】図３のＢ−Ｂ断面図。
【図５】図３のＣ−Ｃ断面図。
【発明を実施するための形態】
【００１１】
以下、図１、図２に基づいて、本発明の実施形態を車両に搭載された速度計に適用した場合を例に挙げて説明する。なお、以下の説明では、速度計（計器装置）を正視（視認）する視認者側を前方側とし、当該視認者側とは反対側である反視認者側を背後側とする。
【００１２】
図１、図２において、速度計Ｍは、情報表示体１０と、この情報表示体１０の背後側に位置する回路基板２０と、情報表示体１０を保持するように回路基板２０上に載置される樹脂ケース３０と、情報表示体１０の前方側に配置される見返し部材としての覆い部材４０と、速度計Ｍの外装ケースを構成する樹脂筐体５０とを備えている。
【００１３】
情報表示体１０は、例えばＴＦＴ型液晶表示パネルを適用することができる。この情報表示体１０は、その画面上にて、例えば車両の走行速度を指針式画像として表示するスピードメータ画像１１を表示可能に構成されている。
【００１４】
このスピードメータ画像１１は、機械式の指針計器を模した画像となっており、回路基板２０に実装された制御部２１は、車両のＥＣＵ（Electronic Control Unit）から車両の走行速度情報等を、各種センサ等を介して取得する。制御部２１は、この取得した情報に基づき、スピードメータ画像１１を表示させるべく、情報表示体１０を表示動作させる処理を実行する。
【００１５】
そして、スピードメータ画像１１は、円弧状の配列形態（所定の配列形態）を有して表示される指標画像１２、特定の指標画像１２を指示する指針画像１３とからなる車両情報画像を表示するものである。
【００１６】
指標画像１２は、ともに円弧状の配列形態を有して表示される数字画像１２ａ及び目盛画像１２ｂからなり、目盛画像１２ｂは数字画像１２ａと対応するように数字画像１２ａの外側に表示される。
【００１７】
つまり、数字画像１２ａと目盛画像１２ｂとでなる計測値表示部としての指標画像１２は、指針画像１３の作動範囲（回動範囲）に沿うように円弧状に表示され、指針画像１３によって指示されるものであり、これにより速度計を視認する視認者は指標画像１２と指針画像１３との対比判読により車両の走行速度の変化を把握することができるようになっている。
【００１８】
指針画像１３は、特定の指標画像１２（特定の数字画像１２ａ及び特定の目盛画像１２ｂ）を指示するものであり、回転中心点Ｃを中心として線状に延びている。なお、情報表示体１０は、フレキシブル配線板（図示せず）を用いて回路基板２０と電気的に接続されている。
【００１９】
回路基板２０は、例えばガラスエポキシ系基材に配線パターン（図示せず）が施された硬質配線基板からなり、例えば情報表示体１０の表示制御を行う制御部２１と、抵抗、コンデンサ等からなる回路部品（図示せず）とが前記配線パターンに導通接続されている。
【００２０】
樹脂ケース３０は、例えば白色の合成樹脂材料によって形成され、情報表示体１０と回路基板２０との間に配置され、情報表示体１０を保持する保持部としての機能を有する。
【００２１】
覆い部材４０は、情報表示体１０の可視領域を定めるように情報表示体１０の前方側に配置され、内側環状部（第１の覆い部）４１と、傾斜環状部（第２の覆い部）４２と、外側環状部４３とを備えている。また、覆い部材４０は、視認者側から本来、視認されるべきではない部材（例えば回路基板２０や樹脂ケース３０）を覆い隠す隠蔽部材としての機能を有する。
【００２２】
なお、本例では、前方側から見たときの覆い部材４０の形状が、リング形状となっているが、覆い部材４０の形状は（無端状の）リング形状に限らず、例えば（両端が繋がっていない有端状の）略馬蹄形状であってもよい。あるいは、覆い部材４０は、円弧状（例えば半円環状）に形成され、この内側にて情報表示体１０の可視領域の一部を定めるように情報表示体１０の前方側に配置されるものであってもよい。
【００２３】
内側環状部４１は、情報表示体１０の周縁部を覆うものであり、その表裏面はともに平坦形状となっている。なお、この場合、内側環状部４１と情報表示体１０の周縁部との間には、弾性を有するパッキン（緩衝部材）Ｐが介装され、このパッキンＰは、覆い部材４０を介して情報表示体１０に作用する応力を軽減させることを目的として設けられている。
【００２４】
傾斜環状部４２は、内側環状部４１の外側を取り囲むように設けられ、内側環状部４１から離れる（遠ざかる）に従って前方側に傾斜して延出している。また、この場合、傾斜環状部４２は、内側環状部４１（情報表示体１０）に対して所定角度（例えば４５度）傾斜しており、傾斜環状部４２と内側環状部４１との双方に後述する意匠部が設けられている。
【００２５】
外側環状部４３は、傾斜環状部４２から外周方向に向けて情報表示体１０と平行に延び、その表裏面はともに平坦形状となっている。なお、外側環状部４３には、樹脂筐体５０に備えられる後述する複数個の溶着用突起がそれぞれ貫通する複数個の結合用孔部４３ａが設けられている。
【００２６】
これら内側環状部４１、傾斜環状部４２並びに外側環状部４３は、薄板状に形成された光透過性の基板４４を母材としており、後述する第１、第２のヘアライン、地色層並びに遮光層を印刷形成した後、基板４４を熱変形させる、所謂、絞り加工により、内側環状部４１、傾斜環状部４２並びに外側環状部４３を有するシート状のパネル体である覆い部材４０を得ることができる。
【００２７】
そして、基板４４の所要部で構成される内側環状部４１、傾斜環状部４２の前方側には、第１のヘアライン４５が設けてある。また、前記所要部で構成される内側環状部４１、傾斜環状部４２の背後側には第２のヘアライン４６を設けた後、当該第２のヘアライン４６に重ねて地色層４７が設けてある。
【００２８】
第１、第２のヘアライン４５、４６は、無色透明なインクを用いて基板４４の中心点（つまり上述した回転中心点Ｃ）を原点とする同心円で、印刷により無数（複数）形成したものである。第２のヘアライン４６は第１のヘアライン４５が設けられている領域に対応した前記所要部の背後側に設けてあればよいのであって、第１のヘアライン４５と第２のヘアライン４６は、ラインの大きさ、間隔、位置などが必ずしも同一でなければならないということではない。
【００２９】
地色層４７は、第２のヘアライン４６を覆うように基板４４の背面側全体に形成されている。この場合、地色層４７は金属調を有しており、例えば透明インクの中にアルミニウム粉等が混入されたものである。なお、必要に応じて、地色層４７の背後側において、地色層４７と重なるように黒色印刷層からなる遮光層（図示せず）を設けてもよい。
【００３０】
このように、無色透明な基板４４の前方側に第１のヘアライン４５を設け、基板４４の背後側に第２のヘアライン４６と地色層４７とを設けたことにより、前方側から覆い部材４０を視認した際、第１のヘアライン４５のみならず、透明な基板４４を透して第２のヘアライン４６も視認されるため、視認されるヘアラインに立体感を与えることができる。
【００３１】
つまり、本例の場合、第１のヘアライン４５と第２のヘアライン４６と地色層４７とで金属調ヘアライン模様からなる意匠部Ｄが形成され、覆い部材４０は、その母材となる基板４４と当該基板４４に形成された意匠部Ｄとを少なくとも有するシート状のパネル体となる。
【００３２】
なお、この場合、地色層４７は金属調を有しているものであったが、必ずしも金属調とする必要はない。また、意匠部Ｄは前記所要部に設ける必要はない。高級感（金属感）や装飾性を持たせたい領域に設ければよく、意匠部Ｄは、例えば内側環状部４１と傾斜環状部４２とのうち、傾斜環状部４２のみに設けられているような構成であってもよい。また、覆い部材４０の前方側には反射抑止、印刷層の保護、あるいはヘアラインの艶変更などの目的で保護層を設けてもよい。
【００３３】
樹脂筐体５０は、その主要部が情報表示体１０の前方側に位置する上ケースとしての第１のケース６０と、その主要部が回路基板２０の背後側を覆う下ケースとしての第２のケース７０とを備え、第１のケース６０と第２のケース７０との間に形成される空間部Ｓに情報表示体１０と回路基板２０と樹脂ケース３０と覆い部材４０とが収納されている。また、第１のケース６０は、フック固定等の適宜固定手段を用いて第２のケース７０と固定される。
【００３４】
第１のケース６０は、合成樹脂の射出成形体からなり、情報表示体１０の前記画面を覆う前面壁部としての基部６１と、情報表示体１０の側方側に位置する第１の側壁部６２とを備えている。
【００３５】
基部６１は、情報表示体１０の前記画面に対応して設けられる透明な可視部６１ａと、この可視部６１ａを包囲する不可視部６１ｂとが一体的に設けられた構成となっている。可視部６１ａの周縁部分は、当該周縁部分を除いた可視部６１ａの他の部分よりも肉薄となっている肉薄部６１ｃとして構成される。
【００３６】
不可視部６１ｂは、速度計Ｍを視認する視認者側から回路基板２０等が視認されないように黒色の樹脂で形成され、溶着用突起６１ｄを有する水平壁部６１ｅを備えている。
【００３７】
水平壁部６１ｅは、外側環状部４３と肉薄部６１ｃ（可視部６１ａ）との双方に当接（面接触）し、水平壁部６１ｅに設けられる溶着用突起６１ｄは、水平壁部６１ｅから背後側に向けて真っ直ぐに垂下形成されている。
【００３８】
具体的には、溶着用突起６１ｄは、外側環状部４３に形成された結合用孔部４３ａを貫通して外側環状部４３の背後側に突出する。なお、溶着用突起６１ｄと結合用孔部４３ａとは、目盛画像１２ｂに沿うように所定間隔を有して複数個形成されている。
【００３９】
そして、外側環状部４３の背後側に突出した各溶着用突起６１ｄ部分（各溶着用突起６１ｄの突出端部Ｇ）が、溶着によって各結合用孔部４３ａに溶着固定されることで、覆い部材４０が第１のケース６０に固定される。なお、本例の場合、覆い部材４０と第１のケース６０とを溶着固定したが、例えば覆い部材４０と第１のケース６０とを接着剤やフックによって固定してもよい。
【００４０】
また、第１の側壁部６２は、不可視部６１ｂと同様に黒色の樹脂で形成され、不可視部６１ｂ（基部６１）の周縁部分から背後側に向けてほぼ真っ直ぐに延出している。
【００４１】
一方、第２のケース７０は、合成樹脂の射出成形体からなり、第１のケース６０と対をなすように設けられる。第２のケース７０は、回路基板２０（情報表示体１０）の背後側を覆う底壁部７１と、第１の側壁部６２に対応して設けられる第２の側壁部７２とを備えている。
【００４２】
以上のように本実施形態では、情報表示体１０と、情報表示体１０の可視領域を定めるように情報表示体１０の前方側に配置される覆い部材４０とを備え、覆い部材４０は、その母材となる基板４４と、この基板４４に形成された意匠部Ｄとを有するパネル体である。
【００４３】
従って、速度計Ｍを視認する視認者は、覆い部材４０の前記所要部に設けられる金属調ヘアライン模様からなる意匠部Ｄを装飾模様（加飾模様）として視認可能となり、覆い部材４０に前記隠蔽部材としての機能以外に、装飾部材としての機能を持たせることが可能となり、商品性を高め得る速度計Ｍ（計器装置）を提供することができる。
【００４４】
（第２実施形態）次に、本発明の第２実施形態を図３〜図５に基づいて説明するが、前述の第１実施形態と同一もしくは相当個所には同一の符号を用いてその詳細な説明は省略する。
【００４５】
この第２実施形態では、前記第１実施形態にて採用した目盛画像１２ｂを廃止し、傾斜環状部４２に対応する基板４４箇所には前記第１実施形態にて採用した数字画像１２ａに対応させて複数個の貫通孔部（貫通部）４２ａが開口形成されるとともに、各貫通孔部４２ａから前方側に向けて後述する導光部材８０に一体形成された凸目盛部（透光部）８３を飛び出させた点で前記第１実施形態と異なり、その他の部分は前記第１実施形態と同じである（図３、図４参照）。
【００４６】
つまり、この第２実施形態においては、回路基板２０の前方側を向く面に実装された光源２２と、この光源２２から発せられる照明光を凸目盛部８３へと導くための導光部材８０とをさらに備えている。
【００４７】
光源２２は、適宜色の光（例えば白色光）を発するチップ型の発光ダイオードを適用することができ、凸目盛部８３に照明光を供給するように回路基板２０に実装（配設）される。具体的には、例えば光源２２は、数字画像１２ａに沿うように、ある所定の間隔を有した状態で回路基板２０の前方側を向く面にに複数個実装される。
【００４８】
導光部材８０は、透光性の合成樹脂材料によって形成され、覆い部材４０を保持する保持体としての機能を有する。また、導光部材８０は、覆い部材４０の背後側に位置する略円環状の導光本体部８１と、各光源２２からの照明光を導光本体部８１に導入するための複数個の光導入部８２と、覆い部材４０の各貫通孔部４２ａを貫通して覆い部材４０の前方側に突出している複数個の凸目盛部８３とを備え、導光本体部８１は、その先端側（前方側）に位置する傾斜面８１ａが傾斜環状部４２と面接触している（図５参照）。
【００４９】
光導入部８２は、樹脂ケース３０に設けられた壁部３１の内部に収納される。また、複数個の凸目盛部８３は、複数個の貫通孔部４２ａに各々対応して設けられ、その個数は貫通孔部４２ａの個数と同一となっている。そして、個々の凸目盛部８３は、数字画像１２ａと対をなすものであり、前記計測値表示部の一部を構成するとともにその先端側が傾斜（屈曲）している。
【００５０】
このような構成において、光源２２が点灯すると、光源２２から発せられる照明光が光導入部８２並びに導光本体部８１を経て凸目盛部８３へと導かれることで、凸目盛部８３が例えば白色で発光する。
【００５１】
この第２実施形態によれば、覆い部材４０は、その母材となる基板４４と、基板４４に形成された意匠部Ｄとを有するパネル体であり、基板４４には前記所定の間隔を有して複数個の貫通孔部４２ａが開口形成されるとともに当該複数個の貫通孔部４２ａに対応して複数個の凸目盛部８３が設けられているものである。
【００５２】
従って、速度計Ｍを視認する視認者は、覆い部材４０の前記所要部に設けられる前記金属調ヘアライン模様や凸目盛部８３を装飾模様（加飾模様）として視認可能となり、覆い部材４０に前記隠蔽部材としての機能以外に、装飾部材としての機能を持たせることが可能となり、前記第１実施形態と同様の作用効果を得ることができる。
【００５３】
なお、本発明は、上述の実施形態及び図面によって限定されるものではない。本発明の要旨を変更しない範囲で、適宜、実施形態及び図面に変更（構成要素の削除も含む）を加えることが可能である。
【００５４】
例えば、上述した各実施形態では、意匠部Ｄが金属調ヘアライン模様となっている例について説明したが、意匠部Ｄは金属調ヘアライン模様に限らず、あらゆる模様（意匠）を適用することができる。例えば意匠部Ｄの一例としては、シアン（Ｃ）、マゼンダ（Ｍ）、イエロー（Ｙ）、ブラック（Ｋ）等の複数の基本色インクからなるドット層を用いた絵柄模様（階調意匠）を適用することができる。
【００５５】
また、上述した第２実施形態では、凸目盛部８３と各ヘアライン４５、４６及び金属調の地色層４７とでなる意匠部Ｄとが覆い部材４０の前記所要部に設けられたものであったが、本発明はこれに限定されるものではない。例えばここでの詳細図示は省略するが、各ヘアライン４５、４６を廃止するとともに導光本体部８１に対応した（重なる）地色層４７箇所を透光性もしくは半透過性の有色意匠（例えば赤色印刷層からなる地色部）とし、導光本体部８１に対応していない（重ならない）地色層４７箇所を遮光性の黒色印刷層としてもよい。
【００５６】
この場合の覆い部材４０は、（貫通孔部４２ａの形成された）基板４４と、当該基板４４に形成された前記地色部とを少なくとも有するパネル体となる。そして、光源２２の点灯に伴い、凸目盛部８３が例えば白色で発光し、前記地色部が例えば赤色で発光する。速度計Ｍを視認する視認者は、覆い部材４０（傾斜環状部４２）に設けられる前記地色部や凸目盛部８３を装飾模様（加飾模様）として視認可能となる。
【００５７】
さらには、前記第１実施形態と第２実施形態とを部分的に組み合わせた構成、具体的には、ここでの詳細図示は省略するが、前記第１実施形態の構成を基本構成とし、当該基本構成に対して、前記第２実施形態にて採用した光源２２及び（凸目盛部８３が形成されていない）導光部材８０を追加した構成とし、導光本体部８１に対応した（重なる）地色層４７箇所を透光性もしくは半透過性の有色意匠（例えば青色印刷層からなる被照明部）とし、導光本体部８１に対応していない（重ならない）地色層４７箇所を遮光性の黒色印刷層としてもよい。
【００５８】
この場合の覆い部材４０は、基板４４と、光源２２からの光を受けて照明される前記被照明部とを有するパネル体となる。そして、光源２２の点灯に伴い、前記被照明部が例えば青色で発光する。速度計Ｍを視認する視認者は、覆い部材４０（傾斜環状部４２）に設けられる前記被照明部を装飾模様として視認可能となる。
【符号の説明】
【００５９】
１０    情報表示体
１１    スピードメータ画像
１２    指標画像
１２ａ  数字画像
１２ｂ  目盛画像
１３    指針画像
２０    回路基板
２２    光源
３０    樹脂ケース
４０    覆い部材
４１    内側環状部（第１の覆い部）
４２    傾斜環状部（第２の覆い部）
４２ａ  貫通孔部（貫通部）
４３    外側環状部
４３ａ  結合用孔部
４４    基板
４５    第１のヘアライン
４６    第２のヘアライン
４７    地色層
５０    樹脂筐体
６０    第１のケース
６１    基部
６１ｄ  溶着用突起
７０    第２のケース
Ｄ    意匠部
Ｐ    パッキン（緩衝部材）
【図１】
2019078708.tif 000003
【図２】
2019078708.tif 000004
【図３】
2019078708.tif 000005
【図４】
2019078708.tif 000006
【図５】
2019078708.tif 000007